【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
画像表示単位となるサブ画素を複数備え、前記サブ画素が透過領域および反射領域を備えてなる液晶装置において、
一対の基板と、
前記一対の基板間に挟持された液晶層と、
前記反射領域における前記液晶層の厚さを前記透過領域における前記液晶層の厚さよりも小さくする液晶層厚調整層と、
前記液晶層の厚さを規制するスペーサと、
透過させる色光が互いに異なる複数のカラーフィルタと、を備え、
複数の前記サブ画素は、第１サブ画素および前記第１サブ画素に隣接して配置される第２サブ画素を含み、複数のカラーフィルタのうち前記第１サブ画素に対応するカラーフィルタは前記複数のカラーフィルタのうち最も視感度の低いカラーフィルタであり、
前記液晶層厚調整層には、前記第１サブ画素と前記第２サブ画素との境界において前記液晶層の厚さが大きい領域から前記液晶層の厚さが小さい領域にかけて溝部が形成されており、
前記スペーサは前記溝部の延長線上、又は前記溝部に隣接する位置に配置されてなることを特徴とする液晶装置。
【請求項２】
前記スペーサは、前記液晶層厚調整層上に前記溝部を避けて設けられてなることを特徴とする請求項１に記載の液晶装置。
【請求項３】
前記溝部の底面は、前記一対の基板のうち前記液晶層厚調整層が形成された基板の前記液晶層の厚さが大きい領域における表面と略同一高さに形成されていることを特徴とする請求項１又は請求項２に記載の液晶装置。
【請求項４】
前記複数のサブ画素は、前記第２サブ画素とは異なる方向において第１サブ画素と隣接する第３サブ画素を含んでおり、前記液晶層厚調整層は前記第１サブ画素から前記第３サブ画素に連続して設けられており、
前記液晶層厚調整には他の溝部が形成されており、
前記スペーサは、前記溝部の延長戦上に形成されてなり、且つ前記溝部と前記他の溝部の間に位置してなることを特徴とする請求項１乃至請求項３のうちいずれか１項に記載の液晶装置。
【請求項５】
前記複数のサブ画素は、前記第２サブ画素とは異なる方向において第１サブ画素と隣接する第３サブ画素を含んでおり、
前記第１のサブ画素と前記第３のサブ画素とは、液晶層の厚さが大きい領域が前記液晶層厚調整層を挟んで対峙するよう配置されており、
前記液晶層の厚さが大きい領域同士は前記溝部により連通しており、
前記スペーサは、前記溝部に隣接して配置されてなることを特徴とする請求項１乃至請求項のうちいずれか１項に記載の液晶装置。
【請求項６】
前記スペーサは、前記複数のカラーフィルタのうち最も視感度が低い色光を透過させるカラーフィルタの形成領域内に形成されることを特徴とする請求項５に記載の液晶装置。
【請求項７】
請求項１ないし請求項６のいずれかに記載の液晶装置を備えたことを特徴とする電子機器。
【手続補正２】
【補正対象書類名】明細書
【補正対象項目名】０００７
【補正方法】変更
【補正の内容】
【０００７】
本発明に係る液晶装置は、画像表示単位となるサブ画素を複数備え、前記サブ画素が透過領域および反射領域を備えてなる液晶装置において、一対の基板と、前記一対の基板間に挟持された液晶層と、前記反射領域における前記液晶層の厚さを前記透過領域における前記液晶層の厚さよりも小さくする液晶層厚調整層と、前記液晶層の厚さを規制するスペーサと、透過させる色光が互いに異なる複数のカラーフィルタと、を備え、複数の前記サブ画素は、第１サブ画素および前記第１サブ画素に隣接して配置される第２サブ画素を含み、複数のカラーフィルタのうち前記第１サブ画素に対応するカラーフィルタは前記複数のカラーフィルタのうち最も視感度の低いカラーフィルタであり、前記液晶層厚調整層には、前記第１サブ画素と前記第２サブ画素との境界において前記液晶層の厚さが大きい領域から前記液晶層の厚さが小さい領域にかけて溝部が形成されており、前記スペーサは前記溝部の延長線上、又は前記溝部に隣接する位置に配置されてなることを特徴とする。
また、前記スペーサは、前記液晶層厚調整層上に前記溝部を避けて設られてなることを特徴とする。
また前記溝部の底面は、前記一対の基板のうち前記液晶層厚調整層が形成された基板の前記液晶層の厚さが大きい領域における表面と略同一高さに形成されていることが望ましい。
【手続補正３】
【補正対象書類名】明細書
【補正対象項目名】０００９
【補正方法】変更
【補正の内容】
【０００９】
また、前記複数のサブ画素は、前記第２サブ画素とは異なる方向において第１サブ画素と隣接する第３サブ画素を含んでおり、前記液晶層厚調整層は前記第１サブ画素から前記第３サブ画素に連続して設けられており、前記液晶層厚調整には他の溝部が形成されており、前記スペーサは、前記溝部の延長戦上に形成されてなり、且つ前記溝部と前記他の溝部の間に位置してなることを特徴とする。
第１サブ画素には第１色光を透過させる第１カラーフィルタが対応して配置され、第２サブ画素には第２色光を透過させる第２カラーフィルタが対応して配置される。
前記溝部は、前記液晶層の厚さが大きい領域から前記液晶層の厚さが小さい領域にかけて前記第１カラーフィルタと前記第２カラーフィルタとの間の一部に形成され、前記スペーサは、前記溝部の延長線上に配置されていることが望ましい。
液晶層厚調整層は、同じ色の第１カラーフィルタが対応する隣接した第１サブ画素と第３サブ画素に連続して形成される。そして液晶層の厚さが大きい領域から液晶層の厚さが小さい領域にかけて、スペーサを挟んで他の溝部が形成される。
上記構成によれば、第１カラーフィルタが形成された第１サブ画素領域と、第２カラーフィルタが形成された第２サブ画素領域との間に、溝部およびスペーサを配置することが可能になる。これにより、溝部およびスペーサの周辺で発生した液晶分子の配向乱れが、サブ画素領域の中央部に及ぶ可能性が小さくなり、配向乱れに起因する光漏れの影響を最小限にとどめることができる。
【手続補正４】
【補正対象書類名】明細書
【補正対象項目名】００１０
【補正方法】変更
【補正の内容】
【００１０】
前記複数のサブ画素は、前記第２サブ画素とは異なる方向において第１サブ画素と隣接する第３サブ画素を含んでおり、前記第１のサブ画素と前記第３のサブ画素とは、液晶層の厚さが大きい領域が前記液晶層厚調整層を挟んで対峙するよう配置されており、前記液晶層の厚さが大きい領域同士は前記溝部により連通しており、前記スペーサは、前記溝部に隣接して配置されてなることを特徴とする。
第１サブ画素には第１色光を透過させる第１カラーフィルタが対応して配置され、第２サブ画素には第２色光を透過させる第２カラーフィルタが対応して配置される。
第１のサブ画素と第３のサブ画素は、液晶層の厚さが大きい領域が前記液晶層厚調整層を挟んで対峙するよう配置され、同じ色の第１カラーフィルタが対応して配置される。それぞれの液晶層の厚さが大きい領域同士は前記溝部により連通しており、スペーサは、前記溝部に隣接する位置に形成されている。
また、スペーサは最も視感度の低い第１カラーフィルタの形成領域に形成されていることが望ましい。
これらの構成によれば、同じ色の第１カラーフィルタが配置される隣接した２つのサブ画素領域が溝部によって連通されるので、各サブ画素領域における配向膜の材料液の塗布量を平均化することが可能になる。したがって、透過領域の周縁部における配向膜の液溜まりを抑制することができる。